(57)【要約】【課題】カードを用いることにより効果的な情報表示を実現する。【解決手段】表示するための情報を取得する取得部（３３２）と、上記取得部が取得した、表示するための情報を、クレジットカードまたはキャッシュカードであって表示部（２４）を有するカードに出力する出力部（３３３）と、を備えている決済端末（３）。【選択図】図１
2018049366.tif 000002
【特許請求の範囲】
【請求項１】
表示するための情報を取得する取得部と、
上記取得部が取得した、表示するための情報を、クレジットカードまたはキャッシュカードであって表示部を有するカードに出力する出力部と、
を備えていることを特徴とする決済端末。
【請求項２】
上記取得部が取得した、表示するための情報を蓄積する情報蓄積部と、
上記情報蓄積部が蓄積した、表示するための情報から、上記カードに送信すべき情報を選択する情報選択部と、
をさらに備えており、
上記取得部は、上記カードからカード情報を取得し、
上記情報選択部は、上記取得部が取得したカード情報に応じて上記情報を選択し、
上記出力部は、上記情報選択部が選択した情報を上記カードに出力する、
ことを特徴とする請求項１に記載の決済端末。
【請求項３】
クレジットカードまたはキャッシュカードであるカードと、
決済端末と、
を備えており、
上記決済端末は、
表示するための情報を取得する取得部と、
上記取得部が取得した、表示するための情報を、上記カードに出力する出力部と、
を備えており、
上記カードは、
上記決済端末から上記情報を取得する情報取得部と、
上記情報取得部が取得した情報を表示する表示部と、
を備えている、
ことを特徴とする情報表示システム。
【請求項４】
上記決済端末は、
上記取得部が取得した、表示するための情報を蓄積する情報蓄積部と、
上記情報蓄積部が蓄積した、表示するための情報から、上記カードに送信すべき情報を選択する情報選択部と、
をさらに備えており、
上記取得部は、上記カードからカード情報を取得し、
上記情報選択部は、上記取得部が取得したカード情報に応じて上記情報を選択し、
上記出力部は、上記情報選択部が選択した情報を上記カードに出力する、
ことを特徴とする請求項３に記載の情報表示システム。
【請求項５】
上記カードの上記表示部は、電源供給されなくても、情報を表示した状態を維持することが可能である、
ことを特徴とする請求項３または４に記載の情報表示システム。
【請求項６】
サーバをさらに備えており、
上記決済端末は、上記サーバに承認要求を送信する承認要求部をさらに備えており、
上記サーバは、
上記決済端末から承認要求を受け付ける承認要求受付部と、
上記承認要求受付部が受け付けた承認要求を承認するか否かを判定する判定部と、
上記判定部が判定した承認結果および表示するための情報を上記決済端末に送信する送信部と、
を備えており、
上記決済端末の上記取得部は、上記サーバから上記承認結果および上記表示するための情報を取得する、
ことを特徴とする請求項３から５の何れか１項に記載の情報表示システム。
【発明の詳細な説明】
【技術分野】
【０００１】
本発明は、決済端末、および、情報表示システムに関する。
【背景技術】
【０００２】
従来、決済端末に情報を表示する技術が知られている。例えば、サーバが決済端末に情報を送信し、決済端末が当該情報を表示する技術が知られている。
【先行技術文献】
【特許文献】
【０００３】
【特許文献１】特許第５９２０７４７号公報
【発明の概要】
【発明が解決しようとする課題】
【０００４】
しかしながら、上述のような従来技術は、決済端末に情報が表示されるだけであるので、当該情報の内容がユーザの印象に残り難いという問題があり、より効果的な情報表示に対するニーズがある。
【０００５】
一方、本願の発明者は、情報の表示が可能なカードを開発しており、当該カードを利用することにより、上記問題の解決に資することができるという知見を得た。なお、当該カードに関しては、特許文献１に開示されている。
【０００６】
本発明は、前記の問題点に鑑みてなされたものであり、その目的は、カードを用いることにより効果的な情報表示を実現することにある。
【課題を解決するための手段】
【０００７】
上記の課題を解決するために、本発明の一態様に係る決済端末は、表示するための情報を取得する取得部と、上記取得部が取得した、表示するための情報を、クレジットカードまたはキャッシュカードであって表示部を有するカードに出力する出力部と、を備えている。
【０００８】
上記構成によれば、カードを用いることにより効果的な情報表示を実現することができる。
【０００９】
また、本発明の一態様に係る決済端末において、上記取得部が取得した、表示するための情報を蓄積する情報蓄積部と、上記情報蓄積部が蓄積した、表示するための情報から、上記カードに送信すべき情報を選択する情報選択部と、をさらに備えており、上記取得部が、上記カードからカード情報を取得し、上記情報選択部が、上記取得部が取得したカード情報に応じて上記情報を選択し、上記出力部が、上記情報選択部が選択した情報を上記カードに出力してもよい。
【００１０】
上記構成によれば、カード情報に応じて情報を選択するため、ユーザの個人情報に応じた情報を選択可能になるので、カードを用いることによりさらに効果的な情報表示を実現することができる。
【００１１】
本発明の一態様に係る情報表示システムは、クレジットカードまたはキャッシュカードであるカードと、決済端末と、を備えており、上記決済端末が、表示するための情報を取得する取得部と、上記取得部が取得した、表示するための情報を、上記カードに出力する出力部と、を備えており、上記カードが、上記決済端末から上記情報を取得する情報取得部と、上記情報取得部が取得した情報を表示する表示部と、を備えている。
【００１２】
上記構成によれば、カードを用いることにより効果的な情報表示を実現することができる。
【００１３】
また、本発明の一態様に係る情報表示システムにおいて、上記決済端末が、上記取得部が取得した、表示するための情報を蓄積する情報蓄積部と、上記情報蓄積部が蓄積した、表示するための情報から、上記カードに送信すべき情報を選択する情報選択部と、をさらに備えており、上記取得部が、上記カードからカード情報を取得し、上記情報選択部が、上記取得部が取得したカード情報に応じて上記情報を選択し、上記出力部が、上記情報選択部が選択した情報を上記カードに出力してもよい。
【００１４】
上記構成によれば、カード情報に応じて情報を選択するため、ユーザの個人情報に応じた情報を選択可能になるので、カードを用いることによりさらに効果的な情報表示を実現することができる。
【００１５】
また、本発明の一態様に係る情報表示システムにおいて、上記カードの上記表示部が、電源供給されなくても、情報を表示した状態を維持することが可能であってもよい。
【００１６】
上記構成によれば、カードの表示部は、電源供給されなくても、情報を表示し続けられるので、カードを用いることによりさらに効果的な情報表示を実現することができる。
【００１７】
また、本発明の一態様に係る情報表示システムにおいて、サーバをさらに備えており、上記決済端末が、上記サーバに承認要求を送信する承認要求部をさらに備えており、上記サーバが、上記決済端末から承認要求を受け付ける承認要求受付部と、上記承認要求受付部が受け付けた承認要求を承認するか否かを判定する判定部と、上記判定部が判定した承認結果および表示するための情報を上記決済端末に送信する送信部と、を備えており、上記決済端末の上記取得部が、上記サーバから上記承認結果および上記表示するための情報を取得してもよい。
【００１８】
上記構成によれば、決済端末が決済に関する承認結果とともに情報を取得し、決済に関するユーザの操作タイミングでカードが情報を表示するので、カードを用いることによりさらに効果的な情報表示を実現することができる。
【発明の効果】
【００１９】
本発明は、カードを用いることにより効果的な情報表示を実現することができるとの効果を奏する。
【図面の簡単な説明】
【００２０】
【図１】本発明の実施形態１に係る情報表示システムの要部構成を示すブロック図である。
【図２】本発明の実施形態１に係るカードの外観の一例を示す図である。
【図３】本発明の実施形態１に係る情報表示システムの処理を示すフローチャートである。
【図４】本発明の実施形態２に係る情報表示システムの要部構成を示すブロック図である。
【図５】本発明の実施形態２に係る情報表示システムの処理を示すフローチャートである。
【図６】本発明の実施形態１に係るカードの外観の別例を示す図である。
【発明を実施するための形態】
【００２１】
以下、本発明の実施形態について、図１〜図６を用いて詳細に説明する。
【００２２】
〔実施形態１〕
以下、本発明の実施形態１について、図１〜図３、図６を用いて詳細に説明する。
【００２３】
（情報表示システム１）
図１は、本実施形態に係る情報表示システム１の要部構成を示すブロック図である。図１に示すように、情報表示システム１は、カード２、決済端末３、および、サーバ４を備えている。カード２は、クレジットカードまたはキャッシュカード（デビットカード）である。決済端末３は、カード決済を行うための端末であり、例えば、銀行のＡＴＭ（Ａｕｔｏｍａｔｅｄ  Ｔｅｌｌｅｒ  Ｍａｃｈｉｎｅ）端末等である。なお、決済端末３は、スマートフォン等の携帯端末であってもよい。サーバ４は、カード決済を承認するためのサーバであり、決済承認業務、執行業務を行う機関によって運営される。
【００２４】
（カード２）
図１に示すように、カード２は、通信部２１、カード管理部２２、情報取得部２３、表示部２４、および、スイッチ２５を備えている。また、図１には示していないが、カード２は、図２に示すように、ＬＣＤ（Liquid Crystal Display）モニタ２６ａ〜２６ｃを備えている。
【００２５】
図１に示す通信部２１は、決済端末３（より具体的には、通信部３２）と通信を行うデバイスである。通信部２１は、ＮＦＣ（Near Field Communication）を用いた非接触型の通信部として実現してもよいし、接触型の通信部として実現してもよい。通信部２１は、通信を行う対象機器から供給される電力を、図示しないバッテリーに供給することもできる。
【００２６】
カード管理部２２は、カード２のカード情報を管理する。カード情報は、カード２に固有な情報であり、カード番号、有効期限、ＣＶＣを含んでいる。情報取得部２３は、通信部２１を用いて、決済端末３から、表示するための情報を取得する。ここで、表示するための情報は、例えば、銀行等の宣伝広告を示す情報、銀行等からユーザに通知すべき情報等である。銀行等からユーザに通知すべき情報には、ユーザの支払に関する情報（支払要求、支払額、支払期限等）が含まれる。
【００２７】
表示部２４は、情報取得部２３が取得した、表示するための情報を表示する。表示部２４は、電子ペーパディスプレイ（ＥＰＤ：Electric Paper Display）であり、電源供給されなくても、当該情報を保持するとともに、その保持した情報を表示した状態を維持することが可能である。スイッチ２５は、ユーザからカード２を起動する旨の操作を受け付けるデバイスである。
【００２８】
カード２は、スマートフォン等の活性化用端末によって活性化されるまでは非活性化されている。このため、カードが活性化されるまでユーザはカード２を使用することができない。
【００２９】
（決済端末３）
図１に示すように、決済端末３は、通信部３１、３２、制御部３３を備えている。
【００３０】
通信部３１は、サーバ４（より具体的には、通信部４１）と通信を行うデバイスである。通信部３１は無線通信を行うデバイスとして実現してもよいし、有線通信を行うデバイスとして実現してもよい。
【００３１】
通信部３２は、カード２（より具体的には、通信部２１）と通信を行うデバイスである。通信部３２は、ＮＦＣを用いた非接触型の通信部として実現してもよいし、接触型の通信部として実現してもよい。
【００３２】
制御部３３は、決済端末３の各構成を統括的に制御する機能を有し、ＣＰＵにより実現される。
【００３３】
制御部３３は、図１に示すように、承認要求部３３１、取得部３３２、および、出力部３３３としても機能する。承認要求部３３１は、通信部３１を用いて、サーバ４に承認要求を送信する。取得部３３２は、通信部３２を用いて、カード２からカード情報を取得する。取得部３３２は、通信部３１を用いて、サーバ４から承認結果および表示するための情報を取得する。出力部３３３は、通信部３２を用いて、取得部３３２が取得した、表示するための情報をカード２に出力する。
【００３４】
（サーバ４）
図１に示すように、サーバ４は、通信部４１、制御部４２を備えている。通信部４１は、決済端末３（より具体的には、通信部３１）と通信を行うデバイスである。制御部４２は、サーバ４の各構成を統括的に制御する機能を有し、ＣＰＵにより実現される。制御部４２は、図１に示すように、承認要求受付部４２１、判定部４２２、および、送信部４２３としても機能する。承認要求受付部４２１は、通信部４１を用いて、決済端末３から承認要求を受け付ける。判定部４２２は、承認要求受付部４２１が受け付けた承認要求を承認するか否かを判定する。送信部４２３は、通信部４１を用いて、判定部４２２が判定した承認結果および表示するための情報を決済端末３に送信する。
【００３５】
（カード２の外観）
図２は、本実施形態に係るカード２の外観の一例を示す図である。以下、カード２において、所有者の署名を記載する面を裏面、裏面の反対側の面を表面と称する。図２の（ａ）は、カード２が非活性化されているときの表面の外観を示す図であり、（ｂ）は、カード２が活性化されているときの裏面の外観を示す図であり、（ｃ）は、カード２が活性化されているときの表面の外観を示す図である。
【００３６】
図２の（ａ）に示すように、カード２の表面に記載されているカード番号の一部を隠すように、ＬＣＤモニタ２６ａは配置されている。カード２が非活性化されている状態では、ＬＣＤモニタ２６ａが画像を表示しない。したがって、カード２のカード番号の一部しかユーザに提示していないため、第三者が不正にカード２を使用するのを防ぐことができる。また、図２の（ａ）および（ｂ）に示すように、カード２はさらに、有効期限を表示するＬＣＤモニタ２６ｂ、およびセキュリティコードを表示するＬＣＤモニタ２６ｃを備えている。なお、図２の（ａ）には図示していないが、カード２が非活性化されている状態では、ＬＣＤモニタ２６ｃも同様に画像を表示しない。
【００３７】
カード２が活性化されている状態において、ユーザがカード２を決済端末３に近接又は挿入すると、決済端末３からカード２に電源が供給されて、カード２はカード情報を決済端末３に送信する。図２の（ｂ）に示すように、ＬＣＤモニタ２６ｃはＣＶＣ（セキュリティコード）を表示する。また、図２の（ｃ）に示すように、ＬＣＤモニタ２６ａはカード番号の一部を表示、ＬＣＤモニタ２６ｂは有効期限を表示する。
【００３８】
表示部２４は、情報取得部２３が取得した情報を表示する。
【００３９】
図６は、本実施形態に係るカード２ａの外観の別例を示す図である。図６（ａ）は、カード２ａの不活性状態を示す図である。図６（ｂ）は、カード２ａの活性状態を示す図である。
【００４０】
カード２ａは、表面に通信部２１、表示部２４、スイッチ２５を備えている。図６（ａ）に示すように、カード２ａの非活性状態において、表示部２４は画像を表示しない。図６（ｂ）に示すように、カード２ａの活性状態において、表示部２４は、カード番号（例えば、１２３４  ５６７８  ９０１２  １２３４）、カード発行年月（例えば、０６／２１）、ＣＶＣ（例えば、８４６）を表示する。
【００４１】
（情報表示システム１の処理）
図３は、本実施形態に係る情報表示システム１の処理を示すフローチャートである。
【００４２】
まず、カード２は、決済のためにユーザにより、決済端末３に近接又は挿入される（ステップＳ３０１、以下「ステップ」を省略する）。
【００４３】
決済端末３は、カード２が近接又は挿入されたことを検知すると、当該近接又は挿入されたカード２に電源を供給する（Ｓ３０２）。
【００４４】
カード２は、決済端末３から電源供給を受けて、図示しないバッテリーが蓄電される。カード２は、カード管理部２２に管理されたカード情報を決済端末３に送信する（Ｓ３０３）。決済端末３の取得部３３２は、カード２からカード情報を取得する。カード２は、カード管理部２２に管理された４桁のカード番号、有効期限、ＣＶＣをＬＣＤモニタ２６に表示する（Ｓ３０４）。
【００４５】
ユーザは、決済の承認に必要な暗証番号を決済端末３に入力する。決済端末３において、取得部３３２は、入力された暗証番号を取得する（Ｓ３０５）。承認要求部３３１は、Ｓ３０３により取得したカード情報に含まれるカード番号、Ｓ３０５で取得した暗証番号を含む、決済の承認要求をサーバ４に送信する（Ｓ３０６）。
【００４６】
サーバ４において、承認要求受付部４２１は、承認要求を受け付けて、判定部４２２は、受け付けた承認要求を承認するか否かを判定する（Ｓ３０７）。判定部４２２は、例えば、照合用のデータを参照して、カード番号と、暗証番号との対応が正しいか否かを判定する。送信部４２３は、承認要求に対する承認結果および表示するための情報を決済端末３に送信する（Ｓ３０８）。承認要求が承認された場合には、当該情報は、広告情報、ユーザへの通知情報等である。承認要求が承認されなかった場合には、当該情報は、承認要求が承認されなかった理由を示す情報である。
【００４７】
決済端末３において、取得部３３２は、サーバ４から承認結果および表示するための情報を取得する。出力部３３３は、取得した情報をカード２に出力する（Ｓ３０９）。
【００４８】
カード２において、情報取得部２３は、決済端末３から表示するための情報を取得する。表示部２４は、取得した情報を表示する（Ｓ３１０）。
【００４９】
なお、ユーザが１回スイッチ２５を押すと、表示部２４の画面表示が行われなくなる。ユーザが２回スイッチ２５を押すと、表示部２４に保持された表示内容が消去される。
【００５０】
（実施形態１の効果）
カード２の表示部２４を介して情報を表示するので、ユーザに対し、情報表示を効果的に行うことができる。また、カード２の表示部２４は、電源供給されなくても、情報を表示し続けられるので、情報表示をさらに効果的に行うことができる。また、決済端末３が決済に関する承認結果とともに表示するための情報を取得し、決済に関するユーザの操作タイミングでカード２が当該情報を表示するので、情報表示をさらに効果的に行うことができる。
【００５１】
〔実施形態２〕
以下、本発明の実施形態２について、図４、図５を用いて詳細に説明する。
【００５２】
（情報表示システム１ａ）
図４は、本実施形態に係る情報表示システム１ａの要部構成を示すブロック図である。図４に示すように、情報表示システム１ａは、カード２、決済端末３ａ、および、サーバ４を備えている。カード２およびサーバ４は、実施形態１と同様である。ただし、カード２のカード管理部２２は、４桁のカード番号、有効期限、ＣＶＣだけでなく、ユーザの個人情報（例えば、趣味、嗜好等）を含めて、カード情報として管理している。
【００５３】
（決済端末３ａ）
図４に示すように、決済端末３ａは、通信部３１、３２、制御部３３ａ、および、情報蓄積部３４を備えている。通信部３１は、実施形態１において説明した構成と同様であり、サーバ４（より具体的には、通信部４１）と通信を行うデバイスである。通信部３２は、実施形態１において説明した構成と同様であり、カード２（より具体的には、通信部２１）と通信を行うデバイスである。制御部３３ａは、決済端末３ａの各構成を統括的に制御する機能を有し、ＣＰＵにより実現される。情報蓄積部３４は、取得部３３２が取得した、表示するための情報を蓄積する。
【００５４】
制御部３３ａは、図４に示すように、承認要求部３３１、取得部３３２、出力部３３３、および、情報選択部３３４としても機能する。承認要求部３３１は、通信部３１を用いて、サーバ４に承認要求を送信する。取得部３３２は、通信部３２を用いて、カード２からカード情報を取得する。取得部３３２は、通信部３１を用いて、サーバ４から承認結果および表示するための情報を取得する。情報選択部３３４は、取得部３３２が取得したカード情報に応じて、情報蓄積部３４が蓄積した、表示するための情報から、カード２に送信すべき情報を選択する。出力部３３３は、通信部３２を用いて、情報選択部３３４が選択した情報をカード２に出力する。
【００５５】
（情報表示システム１ａの処理）
図５は、本実施形態に係る情報表示システム１ａの処理を示すフローチャートである。
【００５６】
Ｓ５０１〜Ｓ５０８、Ｓ５１２の処理は、図３のＳ３０１〜Ｓ３０８、Ｓ３１０の処理と同様である。
【００５７】
決済端末３ａにおいて、取得部３３２は、サーバ４から承認結果および表示するための情報を取得する。情報蓄積部３４は、取得部３３２が取得した、表示するための情報を蓄積する（Ｓ５０９）。情報選択部３３４は、取得部３３２が取得したカード情報に応じて、情報蓄積部３４が蓄積した、表示するための情報から、カード２に送信すべき情報を選択する（Ｓ５１０）。情報選択部３３４は、例えば、カード情報に含まれる、ユーザの趣味、嗜好等に応じて情報を選択する。出力部３３３は、情報選択部３３４が選択した情報をカード２に出力する（Ｓ５１１）。
【００５８】
（実施形態２の効果）
カード情報に応じて、表示するための情報から、カード２に送信すべき情報を選択するので、カード２を用いてさらに効果的な情報表示を実現することができる。
【００５９】
〔ソフトウェアによる実現例〕
決済端末３、３ａ、サーバ４の制御ブロック（特に制御部３３、３３ａ、４２）は、集積回路（ＩＣチップ）等に形成された論理回路（ハードウェア）によって実現してもよいし、ＣＰＵ（Central Processing Unit）を用いてソフトウェアによって実現してもよい。
【００６０】
後者の場合、決済端末３、３ａ、サーバ４は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６２】
本発明は、情報を表示するシステムに利用することができる。
【符号の説明】
【００６３】
１、１ａ  情報表示システム
２  カード
３  決済端末
４  サーバ
２３  情報取得部
２４  表示部
３４  情報蓄積部
３３１  承認要求部
３３２  取得部
３３３  出力部
３３４  情報選択部
４２１  承認要求受付部
４２２  判定部
４２３  送信部
【図１】
2018049366.tif 000003
【図２】
2018049366.tif 000004
【図３】
2018049366.tif 000005
【図４】
2018049366.tif 000006
【図５】
2018049366.tif 000007
【図６】
2018049366.tif 000008